(57)【要約】【課題】よりコンパクトなサイズで、単線、撚り線及び圧着端子付き電線のいずれも接続可能な端子台を提供する。【解決手段】端子台１は、ネジ４０の回転により電線挿入金具３０を上下動させることによって、ハウジング本体１１の窓部１１ｄを通して電線挿入空間Ｓへ挿入された電線を接続又は解除するように構成され、電線挿入金具３０がハウジング１０内で最下位置に位置して電線挿入空間Ｓが最大となっている時、その電線挿入空間Ｓが、正面視で横長の長方形状である。よって、端子台１の全体サイズをコンパクトに抑えつつ、単線、撚り線及び圧着端子付き電線のいずれも接続することができる。【選択図】図６
2008140590.tif 000002
【特許請求の範囲】
【請求項１】
電線を挿入するための窓部を前面に設けると共にネジ挿入孔を上面に設けた絶縁性のハウジングと、前後方向に貫通する開口部を有し前記ハウジング内に上下動可能に収容される可動金具と、前記ハウジング上面から前記ネジ挿入孔を通して前記可動金具の上部に螺合するネジと、前後方向に延設された押え片を有し且つその押え片を前記可動金具の前記開口部内に後方側から挿入した状態で前記ハウジング内に固定されることにより前記可動金具との間で電線挿入空間を形成する導電金具とを備え、前記ネジの回転により前記可動金具を上下動させることによって、前記ハウジングの前記窓部を通して前記電線挿入空間へ挿入された電線を接続又は解除するように構成された端子台において、
前記可動金具が前記ハウジング内で最下位置に位置して前記電線挿入空間が最大となった状態で、その電線挿入空間が、正面視で横長の長方形状であることを特徴とする端子台。
【請求項２】
前記電線挿入空間は、接続される圧着端子の幅に応じて左右幅が設定されると共に、その左右幅と前記圧着端子が取り付けられる電線の導体部の断面積とに基づいて最大時の上下高さが設定されたことを特徴とする請求項１に記載の端子台。
【請求項３】
前記電線挿入空間の最奥部から前記ハウジング窓部の前端までの長さが、前記圧着端子の端子座部の長さよりも短く設定されたことを特徴とする請求項２に記載の端子台。
【請求項４】
前記電線挿入空間は、最大時に正面視で縦横比が１：１．５〜１：２．５の横長の長方形状であることを特徴とする請求項２又は３に記載の端子台。
【発明の詳細な説明】
【技術分野】
【０００１】
本発明は、端子台に関し、特に、絶縁性のハウジング内に導電金具及び可動金具を収容すると共にその可動金具をネジの回転によって上下動させて電線を接続又は解除するようにした端子台に関する。
【背景技術】
【０００２】
従来より、プリント配線基板に実装するための端子台として、絶縁性のハウジング内に導電金具及び可動金具を収容すると共にその可動金具をネジの回転によって上下動させて、電線（単線又は撚り線）を接続又は解除するようにした端子台が提案されている（例えば、特許文献１参照。）。
【０００３】
図１３は、従来例の端子台１０１を示す図であり、（ａ）は正面図、（ｂ）は（ａ）におけるＸ−Ｘ線断面図、（ｃ）はハウジング１１１の一部を破断して電線８０の接続状態を示す平面図である。端子台１０１は、電線を挿入するための窓部１１１ｄを前面に設けると共にネジ挿入孔１１１ｅを上面に設けた絶縁性のハウジング１１１と、前後方向に貫通する開口部１３３を有しハウジング１１１内に上下動可能に収容される可動金具としての電線挿入金具１３０と、ハウジング１１１上面からネジ挿入孔１１１ｅを通して電線挿入金具１３０の上部１３１に螺合するネジ１４０と、前後方向に延設された押え片１２１と下方に延設されたリード部１２５，１２６とを有し押え片１２１を電線挿入金具１３０の開口部１３３内に後方側から挿入した状態でハウジング１１１内に固定されることにより電線挿入金具１３０との間で電線挿入空間Ｓを形成する導電金具１２０とを備え、ネジ１４０の回転により電線挿入金具１３０を上下動させることによって、ハウジング１１１の窓部１１１ｄを通して電線挿入空間Ｓへ挿入された単線又は撚り線を接続又は解除するように構成されている。尚、図１３（ａ）では、電線挿入空間Ｓを網掛けにて図示している。
【０００４】
そして、電線挿入金具１３０がハウジング１１１内で最下位置に位置して電線挿入空間Ｓが最大となった状態で、電線挿入空間Ｓが正面視で正方形状であり、上下高さＳＨ及び左右幅ＳＷ（＝ＳＨ）よりも導体部（銅線）の直径Ｄが小さい単線又は撚り線を接続することができる（Ｄ＜ＳＷ，ＳＨ）。例えば、電線挿入空間Ｓの上下高さＳＨ×左右幅ＳＷが１０ｍｍ×１０ｍｍの場合、電線を挿入するための遊び分を上下左右にそれぞれ確保すると、使用可能な最大サイズの電線はＡＷＧ３（導体部直径Ｄ＝５．８２７ｍｍ）となる。
【特許文献１】特開２０００−２００６３３号公報
【発明の開示】
【発明が解決しようとする課題】
【０００５】
しかしながら、上述した従来例の端子台１０１では、接続可能な最大サイズの撚り線に圧着端子が取り付けられた圧着端子付き電線を接続することができないという問題があった。すなわち、上述した例において、ＡＷＧ３の電線に使用される圧着端子９２は、幅ＴＷ＝１２ｍｍであり（ＪＩＳ  Ｃ２８０５）、電線挿入空間Ｓの左右幅ＳＷ＝１０ｍｍよりも大きいため（ＴＷ＞ＳＷ）、端子台１０１の電線挿入空間Ｓへ挿入することは不可能である（図１４参照）。
【０００６】
特に、圧着端子付き電線をインバータ装置等の所定の装置に接続して使用していた場合において、上記所定の装置のみを新しく別の装置に交換し、従来からの電線をそのまま使用するような状況で不都合な事態が生じ得る。すなわち、交換後の新しい装置にＡＷＧ３の撚り線を接続可能な上記従来例の端子台１０１が実装されていた場合、電線サイズが同一であるにも拘わらず、従来使用していたＡＷＧ３の圧着端子付き電線をそのまま使用することができなくなってしまう。上述した問題を回避するために、より大型の端子台を所定の装置に実装することも考えられるが、端子台を実装するためのスペースの増大やコスト上昇といった新たな問題が生じることになる。
【０００７】
本発明は上述した問題点に鑑みてなされたものであり、よりコンパクトなサイズで、単線、撚り線及び圧着端子付き電線のいずれも接続可能な端子台を提供することを目的とする。
【課題を解決するための手段】
【０００８】
以下、上記課題を解決するのに適した各手段につき、必要に応じて作用効果等を付記しつつ説明する。
【０００９】
１．電線を挿入するための窓部を前面に設けると共にネジ挿入孔を上面に設けた絶縁性のハウジングと、前後方向に貫通する開口部を有し前記ハウジング内に上下動可能に収容される可動金具と、前記ハウジング上面から前記ネジ挿入孔を通して前記可動金具の上部に螺合するネジと、前後方向に延設された押え片を有し且つその押え片を前記可動金具の前記開口部内に後方側から挿入した状態で前記ハウジング内に固定されることにより前記可動金具との間で電線挿入空間を形成する導電金具とを備え、前記ネジの回転により前記可動金具を上下動させることによって、前記ハウジングの前記窓部を通して前記電線挿入空間へ挿入された電線を接続又は解除するように構成された端子台において、
前記可動金具が前記ハウジング内で最下位置に位置して前記電線挿入空間が最大となった状態で、その電線挿入空間が、正面視で横長の長方形状であることを特徴とする端子台。
【００１０】
手段１によれば、ネジの回転により上下動可能な可動金具がハウジング内で最下位置に位置し、可動金具と導電金具との間に形成される電線挿入空間が最大となった状態で、その電線挿入空間が、正面視で横長の長方形状である。ここで、端子台に接続可能な電線のサイズは、最大時の電線挿入空間の大きさによって制約される。具体的には、使用する電線が単線の場合、端子台への挿入部分である導体部の断面が略円形状であるため、電線挿入空間の上下高さによって導体部の太さが制約されるので、最大時の電線挿入空間の上下高さよりも小さい導体部の直径を有する電線が接続可能である。使用する電線が撚り線の場合、細い銅線の束である導体部の断面形状を変形可能であるため、最大時の電線挿入空間の断面積よりも小さい導体部の断面積を有する電線が接続可能である。一方、使用する電線が圧着端子付き電線の場合、端子台への挿入部分である圧着端子は、端子座部の高さが導体部の直径より小さいが、その幅は導体部の直径よりも大きい。このため、電線挿入空間が最大時に正面視で正方形状を呈する従来構成の端子台では、電線挿入空間の左右幅の制約のために、単線や撚り線では挿入可能なサイズの電線と同一の直径の導体部を有する圧着端子付き電線を挿入できない場合があった。これに対し、本手段によれば、電線挿入空間が最大時に正面視で横長の長方形状であるので、電線の導体部の直径よりも大きい幅を有する圧着端子を電線挿入空間へ挿入し接続することが可能である。よって、端子台の全体サイズをコンパクトに抑えつつ、単線、撚り線及び圧着端子付き電線のいずれも接続することができる。
【００１１】
２．前記電線挿入空間は、接続される圧着端子の幅に応じて左右幅が設定されると共に、その左右幅と前記圧着端子が取り付けられる電線の導体部の断面積とに基づいて最大時の上下高さが設定されたことを特徴とする手段１に記載の端子台。
【００１２】
手段２によれば、電線挿入空間は、接続される圧着端子の幅に応じて左右幅が設定されると共に、その左右幅と前記圧着端子が取り付けられる電線の導体部の断面積とに基づいて最大時の上下高さが設定されているので、単線、撚り線及び圧着端子付き電線のいずれも接続可能としつつ、端子台の高さを低く抑えることができる。
【００１３】
３．前記電線挿入空間の最奥部から前記ハウジング窓部の前端までの長さが、前記圧着端子の端子座部の長さよりも短く設定されたことを特徴とする手段２に記載の端子台。
【００１４】
手段３によれば、電線挿入空間の最奥部からハウジング窓部の前端までの長さが、圧着端子の端子座部の長さよりも短く設定されているので、圧着端子を電線挿入空間に挿入する際に、圧着端子の基端側に設けられる円筒部がハウジングの窓部に当接することなく、端子座部を電線挿入空間の最奥部まで挿入して確実に接続を図ることができる。さらに、圧着端子を２枚重ねて接続することも可能である。
【００１５】
４．前記電線挿入空間は、最大時に正面視で縦横比が１：１．５〜１：２．５の横長の長方形状であることを特徴とする手段２又は３に記載の端子台。
【００１６】
手段４によれば、電線挿入空間は、最大時に正面視で縦横比が１：１．５〜１：２．５の横長の長方形状であるので、接続可能な最大サイズの単線又は撚り線と導体部の直径が同一であり且つ導体部の直径と圧着端子の幅との比が１：１．５〜１：２．５である圧着端子付き電線を接続することができると共に、端子台の全体サイズをコンパクトに抑えることができる。
【発明の効果】
【００１７】
本発明の端子台によれば、電線挿入空間が最大時に正面視で横長の長方形状であるので、電線の導体部の直径よりも大きい幅を有する圧着端子を電線挿入空間へ挿入し接続することが可能である。よって、端子台の全体サイズをコンパクトに抑えつつ、単線、撚り線及び圧着端子付き電線のいずれも接続することができる。
【発明を実施するための最良の形態】
【００１８】
以下、本発明の端子台を具体化した一実施形態について図面を参照しつつ説明する。図１は、本実施形態の端子台１を示す図であり、（ａ）は平面図、（ｂ）は正面図、（ｃ）は側面図である。図２は、図１（ｂ）におけるＡ−Ａ線断面図である。図３は、端子台１を分解して示す側面図である。図４は、導電金具２０を示す図であり、（ａ）は平面図、（ｂ）は正面図、（ｃ）は側面図である。図５は、電線挿入金具３０を示す図であり、（ａ）は平面図、（ｂ）は正面図、（ｃ）は側面図である。
【００１９】
端子台１は、プリント配線基板に実装されて電線を容易に接続又は解除可能とした端子台であって、図１乃至図３に示すように、絶縁性のハウジング１０と、導電金具２０と、電線挿入金具３０と、ネジ４０とから構成される。尚、電線挿入金具３０が、本発明の可動金具を構成するものである。
【００２０】
ハウジング１０は、ハウジング本体１１と、底面部材１２との２つの部材に分割形成されている。
【００２１】
ハウジング本体１１は、電気絶縁体（例えば、ナイロン６６等の合成樹脂）からなる箱形部材であって、下面に開口し（下面開口１１ａ）、その内部は複数（２つ）の隔板１１ｂで下面開口１１ａに臨む複数（３つ）の収容空間１１ｃに仕切られている。各収容空間１１ｃの後部両側には、導電金具２０の後述する後部２２左右両端が係合する係合部１１ｇが形成されている。
【００２２】
ハウジング本体１１前面には、各収容空間１１ｃにそれぞれ臨む複数（３つ）の窓部１１ｄが形成されている。窓部１１ｄは、電線を各収容空間１１ｃに挿入するための開口であって、正面視で横長の長方形状を呈している。また、電線を挿入し易くするために、窓部１１ｄの開口周縁部が外側に向かって拡大するテーパ形状となっている。
【００２３】
ハウジング本体１１の上面には、複数（３つ）の収容空間１１ｃにそれぞれ連通する複数（３つ）のネジ挿入孔１１ｅが形成されると共に、各ネジ挿入孔１１ｅの周囲には円筒状突起部１１ｆが立設されている。尚、円筒状突起部１１ｆの高さは、ネジ４０頭部よりも高く設定されている。
【００２４】
底面部材１２は、ハウジング１０の底面部を構成する略長方形板状部材であり、ハウジング本体１１と同一の電気絶縁体からなる。底面部材１２は、ハウジング本体１１の各収容空間１１ｃ内に導電金具２０及び電線挿入金具３０を収容した状態で、下面開口１１ａを塞ぐようにハウジング本体１１の下面に接着等により固定される。底面部材１２には、複数（３つ）のリード挿通孔１２ａが形成されている。リード挿通孔１２ａは、導電金具２０の後述するリード部２５，２６の先端部分を下面側に突出させるための貫通孔である。
【００２５】
導電金具２０は、図４に示すように、金属製（例えば、スズメッキを施した銅製）の板材を「コ」の字形に折り曲げ、更に、長さの異なる二股状部分の先端側をそれぞれ下方へ直角に折り曲げたものである。導電金具２０は、具体的には、前後方向に延設された押え片２１、後部２２、第１下部２３、第２下部２４、第１リード部２５及び第２リード部２６を有している。
【００２６】
押え片２１は、前後方向に延設され、電線挿入金具３０との間で電線を押圧する水平部分であり、その下面には滑り止め用の凹凸形状が形成されている。後部２２は、押え片２１後端から下方へ延びる垂直部分であり、左右両側が押え片２１よりも幅広に形成されている。
【００２７】
第１下部２３は、後部２２下端の右側部分から前方へ延びる水平部分であり、押え片２１よりも長さが僅かに短く、略中央から前端に向かって幅が徐々に縮小している。第２下部２４は、後部２２下端の左側部分から前方へ僅かに延びる水平部分であり、前方に向かって幅が徐々に縮小している。
【００２８】
第１リード部２５は、第１下部２３前端から下方へ延びる垂直部分であり、端子台１が実装されるプリント配線基板の取付面に接続される端子となる。第２リード部２６は、第２下部２４前端から下方へ延びる垂直部分であり、第１リード部２５と同様に、端子台１が実装されるプリント配線基板の取付面に接続される端子となる。
【００２９】
電線挿入金具３０は、図５に示すように、前後方向に貫通する断面長方形状の開口部３３を有する金属製（例えば、ニッケルメッキを施した黄銅製）の角形筒状ブロックであり、上部３１中央には上下方向に貫通するネジ孔３１ａが形成されている。また、電線挿入金具３０の外周寸法は、ハウジング本体１１の収容空間１１ｃの内周寸法よりも一回り小さく設定されている。尚、電線挿入金具３０は、金属製の角材を切断してブロックを形成し、金属製ブロックの中央をプレス加工で断面長方形状に打ち抜いて作製される。
【００３０】
そして、導電金具２０及び電線挿入金具３０は、導電金具２０上部の押え片２１を電線挿入金具３０後方側から開口部３１へ挿入した状態で、ハウジング本体１１の下面開口１１ａから収容空間１１ｃ内へ収容される（図２及び図３参照）。この時、導電金具２０は、後部２２左右両端がハウジング本体１１の収容空間１１ｃ後部内側面の係合部１１ｇに係合することにより収容空間１１ｃ内に固定される。一方、電線挿入金具３０は、上述したとおり、外周寸法が収容空間１１ｃの内周寸法よりも一回り小さいため、収容空間１１ｃ内を上下方向に移動可能に収容される。そして、導電金具２０と電線挿入金具３０との間には、電線挿入金具３０の開口部３１左右内側面及び下部３２上面と導電金具２０の押え片２１下面及び後部２２前面とによって電線挿入空間Ｓが形成される。
【００３１】
このように導電金具２０及び電線挿入金具３０がハウジング本体１１の収容空間１１ｃ内に収容された状態で、ハウジング本体１１上面からネジ４０の足部をネジ挿入孔１１ｅに挿入し、ネジ４０をドライバ等の工具を用いて時計回りに１〜２回転させて電線挿入金具上部３１のネジ孔３１ａに螺合させる。さらに、ハウジング本体１１下面側においては、底面部材１２が各導電金具２０の第１リード部２５及び第２リード部２６の先端部を各リード挿通孔１２より突出させた状態で接着材等により固定されて下面開口１１ａが遮蔽される。
【００３２】
以上の構成を有する端子台１において、電線挿入金具３０は、上部３１下面が導電金具２０の押え片２１上面に当接する時に最下位置となり、この時、電線挿入金具３０の開口部３１左右内側面及び下部３２上面と導電金具２０の押え片２１下面及び後部２２前面とによって形成される電線挿入空間Ｓが最大となる。図６（ａ）は、電線挿入金具３０が最下位置に位置して電線挿入空間Ｓが最大となった状態の端子台１を示す正面図であり、（ｂ）はその縦断面図である。尚、図６において、電線挿入空間Ｓを網掛け線にて示している（図７，図８も同様）。図６（ａ）に示されるように、電線挿入空間Ｓは、最大時に正面視で横長の長方形状である。より詳細には、電線挿入空間Ｓは、図１１に示すように、接続される圧着端子９１の幅ＴＷに応じて左右幅ＳＷが設定されると共に、左右幅ＳＷと圧着端子９１が取り付けられる電線の導体部（銅線）の断面積とに基づいて最大時の上下高さＳＨが設定される。そして、例えば、圧着端子９１の幅ＴＷ＝１２ｍｍ以下では、上下高さＳＨと左右幅ＳＷとの比（縦横比）が１：１．５〜１：２．５に設定されることが好ましい。
【００３３】
また、ハウジング本体１１の窓部１１ｄは、最大時の電線挿入空間Ｓに略整合する横長の長方形状に開口している。さらに、窓部１１ｄの深さは、電線挿入空間Ｓの最奥部からハウジング本体１１の窓部１１ｄ前端までの長さＳＬが、圧着端子９１の端子座部９１ａの長さＴＬよりも短くなるように設定されている（ＳＬ＜ＴＬ）。
【００３４】
図６の状態でネジ４０をドライバ等の工具を用いて時計回りに回転させると、電線挿入金具３０がハウジング１１の収容空間１１ｃ内を上昇していく。図７（ａ）は、電線挿入金具３０が上下中間に位置して電線挿入空間Ｓの上下高さＳＨが最大時の約半分になった状態の端子台１を示す正面図であり、（ｂ）はその縦断面図である。
【００３５】
続いて、ネジ４０をさらに時計回りに回転させると、電線挿入金具３０はハウジング１１の収容空間１１ｃ内をさらに上昇し、下部３２上面が導電金具２０の押え片２１下面に当接して最上位置となると同時に、電線挿入空間Ｓが消滅する（ＳＨ＝０ｍｍ）。図８（ａ）は、電線挿入金具３０が最上位置に位置して電線挿入空間Ｓが消滅した状態の端子台１を示す正面図であり、（ｂ）はその縦断面図である。
【００３６】
次に、各種電線の端子台１への接続方法について説明する。最初に、単線７０の接続方法について説明する。図９は端子台１に単線７０を接続した状態を示す図であり、（ａ）は縦断面図、（ｂ）はハウジング本体１１の一部を破断して示す平面図である。尚、単線７０は、断面円形状の１本の銅線からなる導体部７１とその外周を覆う絶縁被覆７２とからなる。まず、電線挿入金具３０を最下位置として電線挿入空間Ｓが最大となっている状態で、単線７０先端に露出する導体部７１を電線挿入空間Ｓへ挿入する。続いて、ドライバ等でネジ４０を時計回りに回転させていくと、電線挿入金具３０が上方へ移動し、電線挿入空間Ｓへ挿入された単線７０の導体部７１が、導電金具２０の押え片２１下面と電線挿入金具下部３２上面とによって挟持される。このようにして、単線７０の端子台１への接続が完了する。
【００３７】
続いて、撚り線８０の接続方法について説明する。図１０は端子台１に撚り線８０を接続した状態を示す図であり、（ａ）は縦断面図、（ｂ）は（ａ）においてハウジング本体１１の一部を破断して示す平面図である。尚、撚り線８０は、複数の細い銅線が撚り合わされた導体部８１とその外周を覆う絶縁被覆８２とからなる。まず、撚り線８０の細い銅線の束である導体部８１を水平方向に拡げることにより左右寸法に比べて上下寸法が小さい扁平状に変形させておき、電線挿入金具３０を最下位置として電線挿入空間Ｓが最大となっている状態で、撚り線８０先端に露出する導体部８１を電線挿入空間Ｓへ挿入する。続いて、ドライバ等でネジ４０を時計回りに回転させていくと、電線挿入金具３０が上方へ移動し、電線挿入空間Ｓへ挿入された撚り線８０の導体部８１が、導電金具２０の押え片２１下面と電線挿入金具下部３２上面とによって挟持される。
【００３８】
最後に、圧着端子付き電線９０の接続方法について説明する。図１１は端子台１に圧着端子付き電線９０を接続した状態を示す図であり、（ａ）は縦断面図、（ｂ）はハウジング本体１１の一部を破断して示す平面図である。圧着端子付き電線９０は、上述した撚り線８０と先端側の端子座部９１ａ及び基端側の円筒部９１ｂを有する圧着端子９１とからなり、撚り線８０先端に露出する導体部８１を圧着端子９１基端側の円筒部９１ｂに挿入し圧着したものである。まず、電線挿入金具３０を最下位置として電線挿入空間Ｓが最大となっている状態で、圧着端子付き電線９０の圧着端子９１先端の端子座部９１ａを電線挿入空間Ｓの最奥部まで挿入する。続いて、ドライバ等でネジ４０を時計回りに回転させていくと、電線挿入金具３０が上方へ移動し、電線挿入空間Ｓへ挿入された圧着端子付き電線９０の圧着端子９１（端子座部９１ａ）が、導電金具２０の押え片２１下面と電線挿入金具下部３２上面とによって挟持される。このようにして、圧着端子付き電線８０の端子台１への接続が完了する。尚、撚り線８０と比較した場合の圧着端子付き電線９０を使用する利点は、細い銅線が外へはみ出してリークし発火等が生じることを防止できる点、同一トルクで締付けた場合の抜け難さが高い点などである。
【００３９】
次に、端子台１に接続可能な各種電線の最大サイズについて、図１２の表を参照しつつ説明する。最初に、第１実施例について表の上段を参照しつつ説明する。第１実施例において、電線挿入空間Ｓは、上下高さＳＨが最大値６ｍｍ（０〜６ｍｍの範囲で可変）であり、左右幅ＳＷが１２．８８ｍｍ（一定値）である。また、電線挿入空間Ｓの最大時の上下高さＳＨと左右幅ＳＷとの比（縦横比）は、６：１２．８８≒１：２．１５である。
【００４０】
使用する電線が単線７０の場合、導体部７１の直径Ｄが最大時の電線挿入空間Ｓの上下高さＳＨ（６ｍｍ）から遊び分を差し引いた値以下のものが接続可能であるので、最大サイズはＡＷＧ４（導体部直径Ｄ＝５．２ｍｍ）となる。
【００４１】
使用する電線が撚り線８０の場合、細い銅線の束である導体部８１を水平方向に拡げることにより左右寸法に比べて上下寸法が小さい断面形状に変形させることが可能である。従って、撚り線８０導体部８１の断面積が、最大時の電線挿入空間Ｓの断面積７７ｍｍ２（＝６ｍｍ×１２．８８ｍｍ）から遊び分を差し引いた値以下のものが接続可能であるので、最大サイズはＡＷＧ３（導体部直径Ｄ＝５．８ｍｍ）となる。そして、撚り線８０の導体部８１をこのように扁平状に変形させることにより、導電部８１と導電金具押え片２１下面及び電線挿入金具下部３２上面との接触面積が増大するので、端子台１における接続状態の安定性が向上する（第２実施例も同様）。また、この場合、電線挿入空間Ｓが最大時に正面視で正方形状を呈する従来構成であって同一の導体部直径Ｄの電線を挿入可能な端子台と比較して、電線挿入金具３０のストローク（上下移動長さ）を短くできるため、端子台の高さを１０％程度低く抑えることができるという利点がある。
【００４２】
使用する電線が圧着端子付き電線９０の場合、圧着端子９１の幅ＴＷが電線挿入空間Ｓの左右幅ＳＷ（１２．８８ｍｍ）から遊び分を差し引いた値以下のものが接続可能であるので、圧着端子の幅ＴＷの最大値は１２ｍｍとなり、この圧着端子に使用可能な電線の最大サイズは、ＡＷＧ３（導体部直径Ｄ＝５．８ｍｍ）となる（ＪＩＳ  Ｃ２８０５）。
【００４３】
次に、第２実施例について表の下段を参照しつつ説明する。第２実施例において、電線挿入空間Ｓは、上下高さＳＨが最大値５ｍｍ（０〜５ｍｍの範囲で可変）であり、左右幅ＳＷが８ｍｍ（一定値）である。また、電線挿入空間Ｓの最大時の上下高さＳＨと左右幅ＳＷとの比（縦横比）は、５：８＝１：１．６である。
【００４４】
使用する電線が単線７０の場合、導体部７１の直径Ｄが最大時の電線挿入空間Ｓの上下高さＳＨ（５ｍｍ）から遊び分を差し引いた値以下のものが接続可能であるので、最大サイズはＡＷＧ６（導体部直径Ｄ＝４．１ｍｍ）となる。
【００４５】
使用する電線が撚り線８０の場合、導体部８１の断面積が、最大時の電線挿入空間Ｓの断面積４０ｍｍ２（＝５ｍｍ×８ｍｍ）から遊び分を差し引いた値以下のものが接続可能であるので、最大サイズはＡＷＧ４（導体部直径Ｄ＝５．２ｍｍ）となる。
【００４６】
使用する電線が圧着端子付き電線９０の場合、圧着端子９１の幅ＴＷが電線挿入空間Ｓの左右幅ＳＷ（８ｍｍ）から遊び分を差し引いた値以下のものが接続可能であるので、圧着端子の幅ＴＷの最大値は８．２ｍｍとなり、この圧着端子９１に使用可能な電線の最大サイズは、ＡＷＧ４（導体部直径Ｄ＝５．２ｍｍ）となる（ＪＩＳ  Ｃ２８０５）。
【００４７】
以上詳述したことから明らかなように、本実施形態によれば、端子台１は、電線を挿入するための窓部１１ｄを前面に設けると共にネジ挿入孔１１ｅを上面に設けた絶縁性のハウジング本体１１及び底面部材１２からなるハウジング１０と、前後方向に貫通する開口部３３を有しハウジング１０内に上下動可能に収容される可動金具としての電線挿入金具３０と、ハウジング本体１１上面からネジ挿入孔１１ｅを通して電線挿入金具上部３１に螺合するネジ４０と、前後方向に延設された押え片２１を有し且つその押え片２１を電線挿入金具３０の開口部３３内に後方側から挿入した状態でハウジング１０内に固定されることにより電線挿入金具３０との間で電線挿入空間Ｓを形成する導電金具２０とを備え、ネジ４０の回転により電線挿入金具３０を上下動させることによって、ハウジング本体１１の窓部１１ｄを通して電線挿入空間Ｓへ挿入された電線を接続又は解除するように構成され、電線挿入金具３０がハウジング１０内で最下位置に位置して電線挿入空間Ｓが最大となった状態で、その電線挿入空間Ｓが、正面視で横長の長方形状であることを特徴とする。
【００４８】
本実施形態によれば、使用する電線が単線７０の場合、端子台１への挿入部分である導体部７１の断面が略円形状であるため、電線挿入空間Ｓの上下高さによって導体部の太さが制約されるので、最大時の電線挿入空間Ｓの上下高さＳＨよりも小さい導体部の直径Ｄを有する電線が接続可能である。使用する電線が撚り線８０の場合、細い銅線の束である導体部８１の断面形状を変形可能であるため、最大時の電線挿入空間Ｓの断面積よりも小さい導体部８１の断面積を有する電線が接続可能である。一方、使用する電線が圧着端子付き電線９０の場合、端子台１への挿入部分である圧着端子９１は、端子座部９１ａの高さＴＨが導体部８１の直径Ｄより小さいが、その幅ＴＷは導体部８１の直径Ｄよりも大きい。このため、電線挿入空間Ｓが最大時に正面視で正方形状を呈する従来構成の端子台では、電線挿入空間Ｓの左右幅ＳＷの制約のために、単線７０や撚り線８０では挿入可能なサイズの電線と同一の直径の導体部を有する圧着端子付き電線９０を挿入できない場合があった。これに対し、本実施形態によれば、電線挿入空間Ｓが最大時に正面視で横長の長方形状であるので、電線９０の導体部８１の直径Ｄよりも大きい幅を有する圧着端子９１を電線挿入空間Ｓへ挿入し接続することが可能である。よって、端子台１の全体サイズをコンパクトに抑えつつ、単線７０、撚り線８０及び圧着端子付き電線９０のいずれも接続することができる。そして、以上のことから、従来と同等の電流の電線を使用する場合は、端子台１が装着される装置における省スペース化を図ることができ、端子台の全体サイズを従来と同等とした場合は、より大電流の電線を使用することが可能となる。
【００４９】
また、電線挿入空間Ｓは、接続される圧着端子９１の幅に応じて左右幅ＳＷが設定されると共に、その左右幅ＳＷと圧着端子９１が取り付けられる電線９０の導体部８１の断面積とに基づいて最大時の上下高さＳＨが設定されているので、単線７０、撚り線８０及び圧着端子付き電線９０のいずれも接続可能としつつ、端子台の高さを低く抑えることができる。
【００５０】
また、電線挿入空間Ｓの最奥部からハウジング本体１１の窓部１１ｄ前端までの長さが、圧着端子９１の端子座部９１ａの長さよりも短く設定されているので、圧着端子９１を電線挿入空間Ｓに挿入する際に、圧着端子９１基端側に設けられる円筒部９１ｂがハウジング本体１１の窓部１１ｄに当接することなく、端子座部９１ａを電線挿入空間Ｓの最奥部まで挿入して確実に接続を図ることができる。さらに、圧着端子９１を２枚重ねて接続することも可能である。
【００５１】
また、電線挿入空間Ｓは、最大時に正面視で縦横比が１：１．５〜１：２．５の横長の長方形状であるので、接続可能な最大サイズの単線７０又は撚り線８０と導体部の直径Ｄが同一であり且つ導体部の直径Ｄと圧着端子９１の幅ＴＷとの比が１：１．５〜１：２．５である圧着端子付き電線９０を接続することができる。尚、電線の導体部８１の直径とこれに使用される圧着端子９１の幅との比は、圧着端子９１の幅ＴＷが１２ｍｍ以下のサイズでは、１：１．５〜１：２．５の範囲内に設定されるので（ＪＩＳ  Ｃ２８０５）、撚り線８０を端子台１に接続可能な場合には、撚り線８０に圧着端子９１を取り付けた圧着端子付き電線９０も支障なく接続可能である。
【００５２】
また、ハウジング本体１１上面に形成された各ネジ挿入孔１１ｅの周囲には、円筒状突起部１１ｆがネジ４０頭部の最上部よりも数ｍｍ高く立設されているので、通電中に作業者の指がネジ４０に接触して感電する等の事故を防止することができる。
【００５３】
また、ハウジング本体１１の下面開口１１ａが絶縁性の底面部材１２によって遮蔽されているので、ハウジング１０内へ異物が侵入したり、作業者の指が通電中の導電金具２０などに接触して感電する等の事故を防止することができる。
【００５４】
尚、本発明は上述した実施の形態に限定されるものではなく、本発明の主旨を逸脱しない範囲で種々の変更を施すことが可能である。
【００５５】
例えば、前記実施形態、第１実施例及び第２実施例において示した電線挿入空間Ｓの上下高さや左右幅等の具体的数値は一例であり、用途に応じて適宜変更して実施可能であることは勿論である。
【００５６】
また、電線挿入金具３０は、例えば、短冊状の板材（金属）を、中央に断面長方形状の開口部３３を形成するように矩形状に折り曲げて作製してもよい。
【産業上の利用可能性】
【００５７】
本発明は、絶縁性のハウジング内に導電金具及び可動金具を収容すると共にその可動金具をネジの回転によって上下動させて電線を接続又は解除するようにした端子台において、コンパクトなサイズで、単線、撚り線及び圧着端子付き電線のいずれも接続が必要とされる場合に適用可能である。
【図面の簡単な説明】
【００５８】
【図１】本発明の一実施形態の端子台を示す図であり、（ａ）は平面図、（ｂ）は正面図、（ｃ）は側面図である。
【図２】図１（ｂ）におけるＡ−Ａ線断面図である。
【図３】端子台を分解して示す側面図である。
【図４】導電金具を示す図であり、（ａ）は平面図、（ｂ）は正面図、（ｃ）は側面図である。
【図５】電線挿入金具を示す図であり、（ａ）は平面図、（ｂ）は正面図、（ｃ）は側面図である。
【図６】（ａ）は電線挿入金具が最下位置に位置して電線挿入空間が最大となった状態の端子台を示す正面図であり、（ｂ）はその縦断面図である。
【図７】（ａ）は電線挿入金具が上下中間に位置して電線挿入空間が最大時の約半分になった状態の端子台を示す正面図であり、（ｂ）はその縦断面図である。
【図８】（ａ）は電線挿入金具が最上位置に位置して電線挿入空間が消滅した状態の端子台を示す正面図であり、（ｂ）はその縦断面図である。
【図９】端子台に単線を接続した状態を示す図であり、（ａ）は縦断面図、（ｂ）はハウジング本体の一部を破断して示す平面図である。
【図１０】端子台に撚り線を接続した状態を示す図であり、（ａ）は導体部をそのまま挿入した場合の縦断面図、（ｂ）は（ａ）においてハウジング本体の一部を破断して示す平面図である。
【図１１】端子台に圧着端子付き電線を接続した状態を示す図であり、（ａ）は縦断面図、（ｂ）はハウジング本体の一部を破断して示す平面図である。
【図１２】第１、第２実施例の端子台に接続可能な各種電線の最大サイズを示す表である。
【図１３】従来例の端子台を示す図であり、（ａ）は正面図、（ｂ）は（ａ）におけるＸ−Ｘ線断面図、（ｃ）はハウジングの一部を破断して電線の接続状態を示す平面図である。
【図１４】従来例の端子台において圧着端子付き電線が接続不可であることを説明するためにハウジングの一部を破断して示す平面図である。
【符号の説明】
【００５９】
１    端子台
１０    ハウジング
１１    ハウジング本体
１１ｄ  窓部
１１ｅ  ネジ挿入孔
１２    底面部材
２０    導電金具
２１    押え片
３０    電線挿入金具（可動金具）
３３    開口部
４０    ネジ
７０    単線（電線）
７１    導体部
８０    撚り線（電線）
８１    導体部
９０    圧着端子付き電線（電線）
９１    圧着端子
９１ａ  端子座部
９１ｂ  円筒部
Ｓ      電線挿入空間
【図１】
2008140590.tif 000003
【図２】
2008140590.tif 000004
【図３】
2008140590.tif 000005
【図４】
2008140590.tif 000006
【図５】
2008140590.tif 000007
【図６】
2008140590.tif 000008
【図７】
2008140590.tif 000009
【図８】
2008140590.tif 000010
【図９】
2008140590.tif 000011
【図１０】
2008140590.tif 000012
【図１１】
2008140590.tif 000013
【図１２】
2008140590.tif 000014
【図１３】
2008140590.tif 000015
【図１４】
2008140590.tif 000016